(57)【特許請求の範囲】
【請求項１】
第１の撮像画像を得る第１の撮像部を設けた情報端末装置であって、
上記情報端末装置とは異なる撮像装置に配設された第２の撮像部によって得られた第２の撮像画像を第１の通信規格に従って受信する第１の通信部と、
上記第１の通信規格とは異なる第２の通信規格に従って上記撮像装置と通信を行う第２の通信部と、
上記第１の通信部の通信が確立していない場合に、上記第２の通信部の通信中に上記第１の撮像画像を表示するための表示制御部と、
上記第１の通信部の通信が確立していない場合に、上記第２の撮像部に関する情報が上記第２の通信部を介して伝送されると、上記第１の撮像画像中に上記第２の撮像部に関する情報に基づく表示を重ねて表示するように、上記表示制御部を制御する制御部と、
を具備したことを特徴とする情報端末装置。
【請求項２】
上記制御部は、上記第２の撮像部に関する情報又は姿勢情報に基づいて上記第１の撮像部を設定する
ことを特徴とする請求項１に記載の情報端末装置。
【請求項３】
上記制御部は、上記第１の通信部の通信が確立すると、上記表示制御部を制御して上記第２の撮像画像を表示させる
ことを特徴とする請求項１または２に記載の情報端末装置。
【請求項４】
上記制御部は、上記第２の撮像部に関する情報に基づく表示として、上記第１の撮像画像中における上記第２の撮像画像の撮像範囲を示す画像、または音声に基づく画像を表示させる
ことを特徴とする請求項１−３のいずれか１項に記載の情報端末装置。
【請求項５】
第１の撮像画像を得る第１の撮像部と、上記第１の撮像画像を表示するための表示制御部と、を有する機器に対して第１の通信規格に従って通信を行う第３の通信部と、
上記機器に対して上記第１の通信規格とは異なる第２の通信規格に従って通信を行う第４の通信部と、
第２の撮像画像を得る第２の撮像部と、
上記第２の撮像部によって得られた第２の撮像画像を上記第３の通信部を介して上記機器に送信させると共に、上記第３の通信部の通信が確立していない場合には、上記第２の撮像部に関する情報を上記第４の通信部を介して上記機器に送信させ、かつ、上記第１の撮像画像中に上記第２の撮像部に関する情報に基づく表示を重ねて表示するように、上記機器における上記表示制御部に対して指示をする制御部と、
を具備したことを特徴とする情報端末装置。
【請求項６】
第１の撮像画像を得る第１の撮像部を設けた情報端末装置の情報支援方法であって、
画像伝送に用いる第１の通信規格に従った通信を確立するための処理を行うステップと、
上記第１の通信規格とは異なる第２の通信規格に従った通信を確立するための処理を行うステップと、
上記第１の撮像部によって第１の撮像画像を取得するステップと、
上記第１の撮像画像を表示するステップと、
上記第１の通信規格に従った通信が確立していない場合に、上記第２の通信規格に従った通信が確立すると、上記情報端末装置とは異なる撮像装置における第２の撮像部に関する情報を上記第２の通信規格による通信によって取得するステップと、
上記第１の撮像画像中に上記第２の撮像部に関する情報に基づく表示を重ねて表示するステップと、
上記第１の通信規格に従った通信が確立すると、上記第２の撮像部によって得られる第２の撮像画像を表示するステップと、
を具備したことを特徴とする情報支援方法。
【請求項７】
上記第１の通信規格に従った通信の確立前に、上記第２の撮像部に関する情報に基づいて上記第１の撮像部を設定するステップ
を具備することを特徴とする請求項６に記載の情報支援方法。
【請求項８】
コンピュータに、第１の撮像画像を得る第１の撮像部を設けた情報端末装置の情報支援を実行させるための情報支援プログラムであって、
画像伝送に用いる第１の通信規格に従った通信を確立するための処理を行うステップと、
上記第１の通信規格とは異なる第２の通信規格に従った通信を確立するための処理を行うステップと、
第１の撮像部によって第１の撮像画像を取得するステップと、
上記第１の撮像画像を表示するステップと、
上記第１の通信規格に従った通信が確立していない場合に、上記第２の通信規格に従った通信が確立すると、上記情報端末装置とは異なる撮像装置における第２の撮像部に関する情報を上記第２の通信規格による通信によって取得するステップと、
上記第１の撮像画像中に上記第２の撮像部に関する情報に基づく表示を重ねて表示するステップと、
上記第１の通信規格に従った通信が確立すると、上記第２の撮像部によって得られる第２の撮像画像を表示するステップと、
を実行させるための情報支援プログラム。
【請求項９】
上記第１の通信規格に従った通信の確立前に、上記第２の撮像部に関する情報に基づいて上記第１の撮像部を設定するステップ
を具備することを特徴とする請求項８に記載の情報支援プログラム。
【発明の詳細な説明】
【技術分野】
【０００１】
本発明は、複数の機器を連携して所望の機器を実現する、いわゆるＩｏＴ（Internet of Things）に関し、必要な情報処理を行う情報端末装置、情報支援方法及び情報支援プログラムに関する。
【背景技術】
【０００２】
近年、スマートフォンやタブレットＰＣ、ノートＰＣなどの携帯情報端末と他の機器を連携させて、遠隔操作や情報管理の一元化、これまでの様々な制約を超えた機器制御の技術が模索されている。
通信可能な機器が多くなる一方で、携帯情報端末自身が有するセンサ類、カメラ類なども、操作部や表示部と共に進化しており、こうしたＩｏＴの環境下における利用機器の最適化は重要な課題となっていた。
このような環境下では、スマートフォンやタブレットＰＣなどは、制御機器としても機能し、無線、有線で他の機器を操作するためのリモコン的な役割も果たし、表示部に設けられたタッチパネル等を利用して、他の機器に対する遠隔操作や、そこからの情報収集などが可能である。そのため、迅速な接続や機能の起動は、こうした技術の重要なファクターとなっている。
【０００３】
例えば、特許文献１には、特定のデバイスとの接触を介して通信接続のためのデバイス情報を交換し、交換したデバイス情報に基づいて特定のデバイスとの通信を行う近距離通信モジュールを制御する技術が開示されている。この技術を利用することで、スマートフォン等によってレンズ型カメラを制御することもできる。
【０００４】
近年、デジタルカメラなどの撮影機能付き携帯機器（撮影装置）が普及している。この種の撮影装置においては表示部を有して、撮影画像を表示する機能を有するものもある。また、表示部にメニュー画面を表示して、撮影装置の操作を容易にしたものもある。このような表示部は、携帯機器本体の背面に設けられることが多く、ユーザは撮影時に、背面の表示部に表示されたスルー画を確認しながら撮影操作をすることも可能である。
また、近年、撮像画像の表示部を有しておらず、撮影と記録機能のみを備えたレンズ型カメラが採用されることがある。この種のレンズ型カメラは、一般的に、スマートフォンやタブレットＰＣ等に取り付けられ、取り付けられたスマートフォンやタブレットＰＣ等を制御機器として撮影が制御される。また、このようなスマートフォンやタブレットＰＣ等の制御機器は、レンズ型カメラからの撮像画像を表示する撮像表示装置としても機能する。
【０００５】
スマートフォンやタブレットＰＣ等の制御機器は、レンズ型カメラとの間で無線又は有線通信によって接続され、表示部に設けられたタッチパネル等を利用して、レンズ型カメラの撮影操作が可能である。
ところで、スマートフォン等によるレンズ型カメラ等の連携機器の制御には、例えばブルートゥース（登録商標）等の近距離無線規格に対応した通信モジュールを利用することが可能である。しかし、画像伝送など通信容量が大きい場合には、比較的伝送レートが高いＷｉＦｉ（Wireless Fidelity）等の規格に対応した通信モジュールが採用されることが多い。これに限らず赤外通信やＬＴＥなど通信容量の異なる複数の通信が採用されている。
【先行技術文献】
【特許文献】
【０００６】
【特許文献１】特開２０１３−１１５８２８号公報
【発明の概要】
【発明が解決しようとする課題】
【０００７】
ところが、スマートフォン等とレンズ型カメラ等の連携機器との間のＷｉＦｉ通信の確立には比較的長時間（数秒から数十秒）を要する。混信等の影響もあって、チャンネルの空いて居るところを探すなどの制御が必要だったりして手間取る。また、比較的遠距離のものとの通信を想定し、必要な電力も大きいので、常時接続が困難で、通信開始してからの手続きを行う必要がある。このため、例えば、レンズ型カメラの電源投入時等においては、ＷｉＦｉ通信が確立してレンズ型カメラによって撮像されて得られた画像がスマートフォン等に転送されてその表示画面上にスルー画表示されるまでには諸処の通信の手続きを要し、シャッターチャンスを逃す虞があるという問題があった。
【０００８】
本発明は、複数の機器の連携した表示制御により、画像などが再生されたり表示されたりするまでの無駄な時間を軽減することができる情報端末装置、情報支援方法及び情報支援プログラムを提供することを目的とする。
【課題を解決するための手段】
【０００９】
本発明に係る情報端末装置は、第１の撮像画像を得る第１の撮像部を設けた情報端末装置であって、上記情報端末装置とは異なる撮像装置に配設された第２の撮像部によって得られた第２の撮像画像を第１の通信規格に従って受信する第１の通信部と、上記第１の通信規格とは異なる第２の通信規格に従って上記撮像装置と通信を行う第２の通信部と、上記第１の通信部の通信が確立していない場合に、上記第２の通信部の通信中に上記第１の撮像画像を表示するための表示制御部と、上記第１の通信部の通信が確立していない場合に、上記第２の撮像部に関する情報が上記第２の通信部を介して伝送されると、上記第１の撮像画像中に上記第２の撮像部に関する情報に基づく表示を重ねて表示するように、上記表示制御部を制御する制御部と、を具備する。
【００１０】
また、本発明に係る情報端末装置は、第１の撮像画像を得る第１の撮像部と、上記第１の撮像画像を表示するための表示制御部と、を有する機器に対して第１の通信規格に従って通信を行う第３の通信部と、上記機器に対して上記第１の通信規格とは異なる第２の通信規格に従って通信を行う第４の通信部と、第２の撮像画像を得る第２の撮像部と、上記第２の撮像部によって得られた第２の撮像画像を上記第３の通信部を介して上記機器に送信させると共に、上記第３の通信部の通信が確立していない場合には、上記第２の撮像部に関する情報を上記第４の通信部を介して上記機器に送信させ、かつ、上記第１の撮像画像中に上記第２の撮像部に関する情報に基づく表示を重ねて表示するように、上記機器における上記表示制御部に対して指示をする制御部と、を具備する。
【００１１】
また、本発明に係る情報支援方法は、第１の撮像画像を得る第１の撮像部を設けた情報端末装置の情報支援方法であって、画像伝送に用いる第１の通信規格に従った通信を確立するための処理を行うステップと、上記第１の通信規格とは異なる第２の通信規格に従った通信を確立するための処理を行うステップと、上記第１の撮像部によって第１の撮像画像を取得するステップと、上記第１の撮像画像を表示するステップと、上記第１の通信規格に従った通信が確立していない場合に、上記第２の通信規格に従った通信が確立すると、上記情報端末装置とは異なる撮像装置における第２の撮像部に関する情報を上記第２の通信規格による通信によって取得するステップと、上記第１の撮像画像中に上記第２の撮像部に関する情報に基づく表示を重ねて表示するステップと、上記第１の通信規格に従った通信が確立すると、上記第２の撮像部によって得られる第２の撮像画像を表示するステップと、を具備する。
【００１２】
また、本発明に係る情報支援プログラムは、コンピュータに、第１の撮像画像を得る第１の撮像部を設けた情報端末装置の情報支援を実行させるための情報支援プログラムであって、画像伝送に用いる第１の通信規格に従った通信を確立するための処理を行うステップと、上記第１の通信規格とは異なる第２の通信規格に従った通信を確立するための処理を行うステップと、第１の撮像部によって第１の撮像画像を取得するステップと、上記第１の撮像画像を表示するステップと、上記第１の通信規格に従った通信が確立していない場合に、上記第２の通信規格に従った通信が確立すると、上記情報端末装置とは異なる撮像装置における第２の撮像部に関する情報を上記第２の通信規格による通信によって取得するステップと、上記第１の撮像画像中に上記第２の撮像部に関する情報に基づく表示を重ねて表示するステップと、上記第１の通信規格に従った通信が確立すると、上記第２の撮像部によって得られる第２の撮像画像を表示するステップと、を実行させる。
【発明の効果】
【００１４】
本発明によれば、複数の機器の連携した表示制御により、通信開始、通信遮断時トラブルを回避し、画像などが表示や再生されるまでの無駄な時間を短縮することができるという効果を有する。
【図面の簡単な説明】
【００１５】
【図１】本発明の第１の実施の形態に係る情報端末装置を示すブロック図。
【図２】本実施の形態を内蔵カメラを有するスマートフォンとレンズ型カメラとによって実現した場合の外観を示す説明図。
【図３】第１の実施の形態のスマートフォン２０による制御を示すフローチャート。
【図４】撮影の様子を示す説明図。
【図５】第２の実施の形態において採用されるカメラ制御を示すフローチャート。
【図６】第２の実施の形態において採用されるカメラ制御を示すフローチャート。
【発明を実施するための形態】
【００１６】
以下、図面を参照して本発明の実施の形態について詳細に説明する。
【００１７】
（第１の実施の形態）
図１は本発明の第１の実施の形態に係る情報端末装置を示すブロック図であり、図２は本実施の形態を内蔵カメラを有するスマートフォンとレンズ型カメラとによって実現した場合の外観を示す説明図である。なお、スマートフォンに代えてタブレットＰＣや携帯電話を採用してもよい。また、レンズ型カメラに限らず撮像部を有する各種撮影機器を採用してもよい。
【００１８】
一般的に、スマートフォンは、表示画面はオフであっても常時起動状態で使用される。従って、スマートフォンは、操作の開始から比較的短時間に表示画面をオンにして内蔵カメラによる画像を表示することができる。そこで、本実施の形態においては、比較的短時間で通信を確立することができるブルートゥース（登録商標）等の近距離無線通信を利用してスマートフォンとレンズ型カメラとを連携させて使用すると共に、スマートフォンの内蔵カメラによる撮像及び表示を有効利用することで、シャッタチャンスを逃さない高速な撮影を可能にする。なお、一般的には、ＷｉＦｉ等の第１の通信規格に従った無線ＬＡＮ通信は、比較的伝送レートが高い通信（以下、高速通信ともいう）であるが、比較的多大な電力を要するため、使いたい時だけ通信の確立制御を最初から行わなければならず、端末サーチやセキュリティのキー交換など複雑な通信手続きが規格で決まっている問題もあり、通信確立に比較的長い時間を要するのに対し、第２の通信規格に従った近距離無線通信は、比較的伝送レートが低い通信（以下、低速通信ともいう）であるが、電力量が少ないメリットを有して、常時接続や間欠的な接続を行えるなど、通信確立に要する時間は短く出来る可能性がある。特に、さらに転送レートを落として、通信内容を限定してでも消費電力の少なくしたタイプも提案されている。周波数ホッピングなど安定通信も可能である。最近では、特に消費電力を抑えて、ほぼ常時通信待機が可能なタイプの通信規格が出来ており、データ通信量を抑えることで、こうした工夫が出来ていることを考えると、低速通信は接続が速いと単純化して言い換えることも可能である。本実施の形態においては、主に画像伝送（または高音質の音声）については高速通信を採用するものとして説明する。つまり、本実施例では、高速通信がすぐに出来ず、満足すべきデータがすぐに取得できない時、他の手段を講じて代用手段を提示することによってユーザの不満を軽減させる。代用手段としては、低速通信で出来ることを組み合わせて、足りない部分を補おうとするものであったり、通信を要しない内部の機能で代用させるものである。そのためには、外部機器で利用される機能が、どのような内部機能で補助できるかをあらかじめ決めておくような工夫も必要である。
【００１９】
図２に示すように、スマートフォン２０（図１）の筐体２０ａには取り付け器具３１が着脱自在に取り付けられるようになっており、取り付け器具３１にはレンズ型カメラ１０（図１）を取り付けるための取付部３２が設けられている。レンズ型カメラ１０は撮像部１１が収納された鏡筒３３を有しており、鏡筒３３の基端側に取付部３４が設けられている。この取付部３４を取り付け器具３１の取付部３２に、嵌込み又はねじ込み等によって取り付けることができるようになっている。
【００２０】
図１において、スマートフォン２０には高速通信部２１及び低速通信部２２が設けられている。一方、レンズ型カメラ１０にも高速通信部１３及び低速通信部１４が設けられている。高速通信部１３，２１は、例えば、ＷｉＦｉ等の無線LANによる高速通信が可能である。また、低速通信部１４，２２は、例えば、ブルートゥース（登録商標）等の近距離無線による低速通信が可能である。
【００２１】
スマートフォン２０とレンズ型カメラ１０とは、高速通信部２１，１３を介して相互に通信可能に構成されていると共に、低速通信部１４，２２を介して相互に通信可能に構成されている。スマートフォン２０には表示部２９が設けられており、表示制御部２８は、レンズ型カメラ１０からの撮像画像を、表示部２９の表示画面２９ａ（図４参照）に表示させることができるようになっている。
【００２２】
レンズ型カメラ１０には鏡筒３３内に光学系１１ａが収納された撮像部１１が設けられており、光学系１１ａは、鏡筒３３内にピント合わせによりフォーカス（合焦）状態に設定するために可動されるフォーカスレンズやフォーカス状態で変倍するズームレンズ等（図示せず）を有する。また、光学系１１ａは、これらのレンズ及び絞りを駆動する図示しない機構部を有する。
【００２３】
撮像部１１にはＣＣＤやＣＭＯＳセンサ等によって構成された図示しない撮像素子が設けられており、光学系１１ａによって被写体光学像が撮像素子の撮像面に導かれるようになっている。制御部１２は光学系１１ａの機構部を制御して、これらのフォーカスレンズ、ズームレンズ及び絞りを駆動制御するようになっている。撮像素子は被写体光学像を光電変換して撮像画像を得る。
【００２４】
レンズ型カメラ１０の制御部１２は、例えばＣＰＵ等のプロセッサによって構成されており、後述するスマートフォン２０からの信号に基づいて、レンズ型カメラ１０の各部を制御する。また、レンズ型カメラ１０には操作部１６も設けられており、操作部１６は、ユーザ操作に基づく操作信号を制御部１２に与える。制御部１２は、操作部１６からの操作信号に基づいて、レンズ型カメラ１０の各部を制御することもできるようになっている。
【００２５】
撮影制御部１２ｂは、フォーカス信号、ズーム信号及び絞り制御信号を発生して、光学系１１ａのフォーカス、ズーム及び絞りを駆動制御する。また、撮影制御部１２ｂは、撮像素子に駆動信号を供給して、被写体の撮像を制御する。また、画角制御部１２ａは、ユーザ操作に基づいて或いはスマートフォン２０の指定によって撮影画角が設定されて、撮像部１１を制御して撮影画角を調整することができるようになっている。
【００２６】
制御部１２は、撮像部１１からの撮像画像が与えられ、所定の画像信号処理、例えば、色調整処理、マトリックス変換処理、ノイズ除去処理、その他各種の信号処理を施した後、記録部１８に与えて記録することができる。記録部１８としては例えばＩＣメモリを採用することができる。制御部１２は、撮像画像を高速通信部１３を介してスマートフォン２０に転送することもできるようになっている。
【００２７】
制御部１２は、撮影情報取得部１２ｃを有している。撮影情報取得部１２ｃは、ズームレンズ、フォーカスレンズ等のレンズ状態、絞り状態等のレンズに関するレンズ情報及び画角等の撮影に関する情報等の少なくとも１つを含む撮影情報を取得する。撮影情報取得部１２ｃは、取得した撮影情報を、低速通信部１４を介してスマートフォン２０に転送することができるようになっている。レンズ情報には、ピント位置、被写界深度の範囲等の光軸方向の距離の情報も含まれる。
【００２８】
また、レンズ型カメラ１０には仰角方位センサ１５も設けられている。仰角方位センサ１５は、レンズ型カメラ１０の撮像部１１の姿勢を検出して検出結果を制御部１２に出力するようになっている。制御部１２は仰角方位センサ１５の検出結果に基づいて、撮像部１１の撮影方向を判定することができる。なお、制御部１２は、撮像部１１の撮影方向に関する情報についても撮影情報としてスマートフォン２０の制御部２５に出力するようになっている。
【００２９】
高速通信部１３は、スマートフォン２０に設けられた高速通信部２１との間で所定の伝送路を介して通信が可能である。伝送路としては、有線及び無線による各種伝送路、例えば、ＵＳＢ（Universal Serial Bus）ケーブルやＷｉＦｉ（Wireless Fidelity）等の無線ＬＡＮの伝送路等を採用することができるようになっている。
【００３０】
また、低速通信部１４は、スマートフォン２０に設けられた低速通信部２２との間で所定の伝送路を介して通信が可能である。伝送路としては、例えば、ブルートゥース（登録商標）等の近距離無線通信の伝送路等を採用することができるようになっている。
【００３１】
制御部１２は、スマートフォン２０との間で低速通信部１４，２２を介して通信が確立すると、スマートフォン２０の制御部２５に従って撮影が制御されると共に、撮影に関する各種情報（撮影情報）をスマートフォン２０に転送することができるようになっている。また、制御部１２は、スマートフォン２０との間で高速通信部１３，２１を介して通信が確立すると、撮像部１１が取得した撮像画像をスマートフォン２０に転送することができるようになっている。
【００３２】
スマートフォン２０は、例えばＣＰＵ等のプロセッサによって構成された制御部２５を有しており、制御部２５はスマートフォン２０の各部を制御する。制御部２５は、低速通信部２２，１４を介してレンズ型カメラ１０の制御部１２に対して撮像素子を駆動するための駆動制御信号を送信すると共に、制御部１２から送信された撮影情報を受信するようになっている。また、制御部２５は、高速通信部１３，２１を介してレンズ型カメラ１０からの撮像画像を受信する。
【００３３】
本実施の形態においては、スマートフォン２０には、内蔵カメラ部２３が設けられている。内蔵カメラ部２３は、ＣＣＤやＣＭＯＳセンサ等によって構成された図示しない撮像素子が設けられており、この撮像素子の撮像面には、筐体２０ａに設けられたレンズ３５を介して入射した被写体光学像が入射するようになっている。内蔵カメラ部２３は、制御部２５に制御されて被写体を撮像し、撮像画像を制御部２５に出力することができる。制御部２５は、内蔵カメラ部２３の撮像に際して、ピント制御、露出制御、ホワイトバランス制御、画角制御等の各種撮影制御を行うことができるようになっている。
【００３４】
制御部２５は、高速通信部２１を介して受信した撮像画像（以下、外部撮像画像ともいう）及び内蔵カメラ部２３からの撮像画像（以下、内蔵カメラ画像ともいう）に対して、所定の信号処理、例えば、色調整処理、マトリックス変換処理、ノイズ除去処理、その他各種の信号処理を行う。
【００３５】
制御部２５は、撮像画像の記録及び再生に関する処理を行うことができる。例えば、制御部２５は、信号処理後の撮影画像を圧縮処理し、圧縮後の画像を記録部２４に与えて記録させることができる。記録部２４としては、例えばＩＣメモリ等の各種記録媒体を採用することができ、記録部２４は記録媒体に画像情報及び音声情報等を記録可能である。また、外部機器で利用される機能が、どのような内部機能で補助できるかをあらかじめ決めておくような工夫も必要である。そこで、外部機器に対応して、どの内部機能が代用できるか、記録部２４に代用データベース２４ａを設けてもよい。これは、外部機器を制御するアプリソフトなどで、書き込みがなされるようにしても良い。また、低速通信時に送られる情報をここに関連づけて記録しておいてもよい。
【００３６】
表示制御部２８は表示に関する各種処理を実行する。表示制御部２８は、制御部２５から信号処理後の撮影画像が与えられて、表示部２９に与えて表示させることができる。表示部２９は、ＬＣＤ等の表示画面２９ａを有しており、表示制御部２８から与えられた画像を表示する。また、表示制御部２８は、各種メニュー表示等を表示部２９の表示画面２９ａに表示させることもできるようになっている。制御部２５は、記録部２４に記録されている撮像画像を読み出して伸張処理することができる。表示制御部２８は伸張処理された撮像画像を表示部２９に与えることで、記録画像の再生が可能である。
【００３７】
スマートフォン２０には、操作部２７も配設されている。操作部２７は、スマートフォン２０に設けられた図示しないスイッチ、キー、ソフトウェアキーボード等の各種の操作部によって構成され、ユーザ操作に基づく操作信号を発生して、制御部２５に出力するようになっている。制御部２５は、操作信号に基づいて、各部を制御する。
【００３８】
表示部２９の表示画面２９ａ上には、図示しないタッチパネルが設けられている。タッチパネルは、ユーザが指で指し示した表示画面２９ａ上の位置に応じた操作信号を発生することができる。この操作信号は、制御部２５に供給される。これにより、制御部２５は、ユーザが表示画面２９ａ上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができ、ユーザ操作に対応した処理を実行することができるようになっている。
【００３９】
なお、表示画面２９ａは、スマートフォン２０の筐体２０ａの例えば前面の略全域を占めるように配設されており、ユーザは、レンズ型カメラ１０による撮影時に表示部２９の表示画面２９ａ上に表示された撮像画像を確認することができ、撮像画像を確認しながら撮影操作を行うことができる。
【００４０】
方位・画角判定部３０は、スマートフォン２０の向き及び内蔵カメラ部２３の撮影画角を判定して判定結果を制御部２５に出力することができるようになっている。制御部２５は、方位・画角判定部３０の判定結果に基づいて、内蔵カメラ部２３の撮影方向及び撮影範囲を把握することができるようになっている。
【００４１】
本実施の形態においては、制御部２５は、レンズ型カメラ１０による撮影と内蔵カメラ部２３による撮影とを連携して行う連携モードでの動作を行うことができるようになっている。制御部２５は、連携モードにおいては、高速通信部２１，１３の通信が確立するまでは、内蔵カメラ部２３によって得られる撮像画像を表示部２９に表示するように表示制御部２８を制御する。また、制御部２５は、連携モードにおいて低速通信部２２，１４の通信が確立すると、レンズ型カメラ１０の制御部１２から通信部２２，１４を介して撮影情報を取得するようになっている。本実施の形態においては、制御部２５は、取得した撮影情報に基づいて、レンズ型カメラ１０の撮影に関する情報の表示を表示部２９に表示させる。
【００４２】
また、制御部２５は、内蔵カメラ画像中に含まれる外部撮像画像の画像部分の範囲（以下、外部撮像画像範囲ともいう）を判定することができるようになっている。レンズ型カメラ１０から取得する撮影情報には、レンズ型カメラ１０の撮像部１１の撮影方向の情報及びズーム情報等が含まれており、制御部２５は、方位・画角判定部３０の判定結果及びレンズ型カメラ１０からの撮影情報を用い、或いは更に筐体２０ａに対する取り付け器具３１の取付け位置及び内蔵カメラ部２３の撮影条件の情報等を用いることで、外部撮像画像範囲を求めることができる。制御部２５は、求めた外部撮像画像範囲の情報を表示制御部２８に与えることで、外部撮像画像範囲を示す枠画像を内蔵カメラ画像中に表示させることができるようになっている。
【００４３】
制御部２５は、受信する外部撮像画像から画像の特徴を求めて内蔵カメラ画像と比較することで外部撮像画像範囲を判定することも可能であるが、本実施の形態においては、画角や撮影方向に関する撮影情報等に基づいて外部撮像画像範囲を判定することにより、スマートフォン２０に外部撮像画像が伝送される前に、外部撮像画像範囲を求めることが可能である。
【００４４】
このように、制御部２５は、撮影情報に基づく表示として、例えばレンズ型カメラ１０の撮影条件の情報表示を内蔵カメラ部２３による撮像画像上に重ねて表示することもできる。例えば、情報表示としては、レンズ型カメラ１０の焦点距離の数字を表示するものであってよく、また、レンズ型カメラ１０の画角の範囲、即ち、外部撮像画像範囲を示す枠画像を表示するものであってもよい。更に、制御部２５は、レンズ型カメラ１０及び内蔵カメラ部２３の撮影条件の一方に基づいて他方の撮影条件を変更することもできるようになっていてもよい。
【００４５】
例えば、通信部１４，２２が起動直後の短時間で通信可能となるものとすると、連携モード時には、この通信部１４，２２を介して画像画角や撮影方向に関する撮影情報を送信可能である。起動直後のように、高速通信部１３，２１の通信が確立されておらずレンズ型カメラ１０の撮像部１１からの撮像画像がスマートフォン２０に伝送されていない期間には、制御部２５は、表示画面２９ａ上に内蔵カメラ画像を表示させることもできる。更に、外部撮像画像が受信される前に、内蔵カメラ画像上に、レンズ型カメラ１０による外部撮像画像の範囲を示す枠画像を表示させることも可能である。これにより、ユーザは、レンズ型カメラ１０の撮影範囲を事前に確認することも可能である。
【００４６】
次に、このように構成された実施の形態の動作について図３及び図４を参照して説明する。図３は第１の実施の形態のスマートフォン２０による制御を示すフローチャートである。図４は撮影の様子を示す説明図であり、表示部２９の表示画面２９ａ上の表示を示している。
【００４７】
撮影者はスマートフォン２０に取り付けた取り付け器具３１にレンズ型カメラ１０を装着する。図４はこの状態を示している。撮影者４１は、例えば、スマートフォン２０の筐体２０ａ及び鏡筒３３を左手４２で把持して、表示部２９の表示画面２９ａ上に表示されたスルー画を見ながら被写体を視野範囲に捉えた状態で、撮影を行うことができる。ここでは、情報のやり取りの代表例として画像をもとに説明するが、通信が出来ない時、他の手段を講じて代用手段でユーザの不満を軽減するという観点では、画像に限らず取得可能な情報であれば何にでも応用可能で、画像以外の情報の代表としては音声データがある。音声情報もマイクの向きなどが重要な要素となり、撮影時と同様の所作が要求される。
【００４８】
スマートフォン２０の連携モード時には、図３に示す制御が行われる。図３のステップＳ１において、制御部２５は、高速通信部２１による高速通信及び低速通信部２２による低速通信を要求する。高速通信部２１及び低速通信部２２は、それぞれレンズ型カメラ１０の高速通信部１３又は低速通信部１４との間の通信を確立するための処理を行う。
【００４９】
制御部２５は、ステップＳ２において高速通信部２１，１３による高速通信が確立したか否かを判定する。高速通信の確立には比較的長時間を要することから、高速通信の要求からの時間が比較的短い場合には、高速通信は確立しておらず、処理はステップＳ３に移行する。高速通信が確立していない場合には、制御部２５は、ステップＳ３において、内蔵カメラ部２３からの内蔵カメラ画像を取得する。制御部２５は取得した内蔵カメラ画像を表示制御部２８に与えて表示部２９の表示画面２９ａ上に表示させる（ステップＳ４）。図３（ａ）はこの状態を示しており、表示部２９の表示画面２９ａ上には、被写体である鳥４３に基づく画像４４を含む内蔵カメラ画像が表示されている。また、カメラのような画像情報のみならず、マイク２６を有して、音声情報を取得してその音量など関連情報を表示してもよい。これによって、音量レベルのゲイン調整やイコライザやノイズキャンセルなどをあらかじめ設定することが可能となり、事前準備などが便利になる。前述のように、高速通信できない時に代用される機能は、代用データベース２４ａで検索して、指定するような工夫を行っても良いことは言うまでもない。このデータをユーザが任意に書き直してカスタマイズが出来るようにして良いことは言うまでもない。例えば、カメラが繋がる前には、ネット情報を取得するなど、画像と関係ない設定でも、ユーザは時間つぶしが可能となり、不満を軽減できる。ネットでサンプル画像が検索されるような仕様なら、必ずしも撮影と無関係とは言えない。
【００５０】
次に、制御部２５は、ステップＳ５において撮影指示が発生したか否かを判定する。撮影指示が発生していない場合には、制御部２５はステップＳ６において低速通信が確立したか否かを判定する。低速通信が確立していない場合には、制御部２５は処理をステップＳ２に戻して同様の処理を繰り返す。
【００５１】
低速通信は、低速通信の要求から比較的短時間に確立する。低速通信が確立すると、制御部２５は処理をステップＳ７に移行して外部カメラであるレンズ型カメラ１０から撮影情報や撮影方向情報や姿勢情報など（どれかが欠けてもよい）を取得する。レンズ型カメラ１０の撮影情報取得部１２ｃは、取得した撮影情報を低速通信部２２，１４を介して制御部２５に出力する。制御部２５は取得した撮影情報に基づく表示を内蔵カメラ画像上に表示させるように表示制御部２８を制御する（ステップＳ８）。こうして、表示部２９の表示画面２９ａ上に、レンズ型カメラ１０の撮影情報に基づく情報表示４５が表示される。なお、ステップＳ８で通信される内容は、比較的情報量の少ない音声情報などでも良い。
【００５２】
図４（ｂ）はこの状態を示しており、表示部２９の表示画面２９ａ上には、画像４４を含む内蔵カメラ画像上に、レンズ型カメラ１０の焦点距離の情報表示４５が表示されている。この情報表示４５によって、ユーザは、高速通信が確立してレンズ型カメラ１０からの撮像画像がスマートフォン２０の表示画面２９ａ上に表示されるようになる前に、レンズ型カメラ１０による撮像に関する情報を知ることができ、レンズ型カメラ１０による撮像画像についてある程度予測することが可能となる。なお、レンズ型カメラ１０との間で通信の確立中であり、表示画面２９ａ上にはレンズ型カメラ１０からの撮像画像がまだ表示されていないことを示す、例えば「通信確立中」というメッセージを内蔵カメラ画像に重ねて表示させてもよい。
【００５３】
更に、表示画面２９ａ上には、方位・画角判定部３０の判定結果及びレンズ型カメラ１０の撮影情報に基づく外部撮像画像範囲を示す枠画像４６も表示されている。制御部２５は、低速通信によってレンズ型カメラ１０から送信された撮影情報と、レンズ型カメラ１０の撮影方向及び画角の範囲等の情報とに基づいて外部撮像画像が内蔵カメラ画像中のいずれの範囲に相当するかを判定する。制御部２５は、表示制御部２８を制御して、判定結果である外部撮像画像範囲を示す枠画像４６を表示画面２９ａ上に表示させる。
【００５４】
この枠画像４６の表示によって、ユーザは、高速通信が確立してレンズ型カメラ１０からの撮像画像がスマートフォン２０の表示画面２９ａ上に表示されるようになる前に、レンズ型カメラ１０による撮像画像の撮影範囲を知ることができる。
【００５５】
制御部２５は、ステップＳ５において、ユーザによって撮影を指示する操作が行われたものと判定すると、ステップＳ１２において撮影処理を行う。例えば、ユーザによる撮影操作が内蔵カメラ部２３に対する撮影操作である場合には、制御部２５は、内蔵カメラ部２３からの撮像画像に対して所定の静止画画像処理を施して、処理後の静止画像を記録部２４に与えて記録させる。
【００５６】
即ち、この場合には、高速通信が確立してレンズ型カメラ１０からの撮像画像がスマートフォン２０の表示画面２９ａ上に表示されるようになる前に、内蔵カメラ部２３の撮像画像によるスルー画を確認しながら撮影を行うことができ、例えばレンズ型カメラ１０の起動時においてもシャッターチャンスを逃すことなく撮影を行うことができる。
【００５７】
また、制御部２５は、ユーザによる撮影操作がレンズ型カメラ１０に対する撮影操作であった場合には、ステップＳ１２において低速通信部２２を介してレンズ型カメラ１０による撮影を指示する。レンズ型カメラ１０の制御部１２は低速通信部１４を介して撮影指示の情報を受信すると、撮像部１１を制御して撮像を行う。制御部１２は、撮像部からの撮像画像に対して所定の静止画画像処理を施して、処理後の撮像画像を記録部１８に与えて記録させる。
【００５８】
即ち、この場合には、ユーザは、高速通信が確立してレンズ型カメラ１０からの撮像画像がスマートフォン２０の表示画面２９ａ上に表示されるようになる前に、内蔵カメラ部２３の撮像画像によるスルー画によって、レンズ型カメラ１０による撮像画像を推測することができ、ある程度ユーザが希望する構図等でレンズ型カメラ１０による撮影が可能である。これにより、高速通信の確立前であっても高速通信の要求から比較的短時間にユーザの希望に添った撮像画像をレンズ型カメラ１０によって得ることができる。
【００５９】
高速通信の要求から所定の時間が経過すると、高速通信部１３，２１相互間で高速通信が確立する。制御部２５はステップＳ２において、高速通信が確立したものと判定すると、処理をステップＳ９に移行して、レンズ型カメラ１０からの撮像画像や音声情報を取得する。レンズ型カメラ１０の制御部１２は撮像部１１からの撮像画像を高速通信部１３，２１を介してスマートフォン２０に伝送する。制御部２５は高速通信部２１を介して受信した撮像画像を表示制御部２８に与えて、表示部２９の表示画面２９ａ上にスルー画表示させる。ここでは、情報量の多い画像について説明しているが、音声などもハイレゾ化など高音質化させ、多チャンネル化させると、このような通信が好ましくなる場合がある。
【００６０】
図４（ｃ）はこの場合の画面表示を示しており、表示部２９の表示画面２９ａ上には、被写体である鳥４３の画像４７を含む外部撮像画像が表示されている。制御部２５は、ステップＳ１０において、ユーザによって撮影を指示する操作が行われたか否かを判定する。ユーザによって撮影操作が行われると、制御部２５は、ステップＳ１１において、低速通信部２２を介してレンズ型カメラ１０に撮影を指示する。レンズ型カメラ１０の制御部１２は低速通信部１４を介して撮影指示の情報を受信すると、撮像部１１を制御して撮像を行う。制御部１２は、撮像部からの撮像画像に対して所定の静止画画像処理を施して、処理後の撮像画像を記録部１８に与えて記録させたり、高速通信部１３，２１を介してスマートフォン２０に与えてスマートフォン２０の記録部２４において記録させることができる。
【００６１】
このように本実施の形態においては、外部カメラであるレンズ型カメラからの撮像画像を高速通信によって受信し、レンズ型カメラからの撮影情報を低速通信によって受信する情報端末装置において、高速通信の確立前には、内蔵カメラによる撮像画像を表示部に表示すると共に、レンズ型カメラからの撮影情報に基づく情報表示を重ねて表示する。これにより、レンズ型カメラによる撮像画像の表示前に、レンズ型カメラによる撮像画像を予測することができ、スルー画を全く確認することなく撮影を行う場合に比べて、ある程度ユーザが希望する撮影を行うことが可能である。これにより、高速通信の確立前であっても、シャッターチャンスを逃すこと無く、ある程度希望する撮影を行うことができる。
【００６２】
（第２の実施の形態）
図５及び図６は本発明の第２の実施の形態において採用されるカメラ制御を示すフローチャートである。図５はレンズ型カメラ１０のカメラ制御（外部カメラ制御）を示し、図６はスマートフォン２０のカメラ制御（スマートフォン制御）を示している。本実施の形態におけるハードウェア構成は第１の実施の形態と同様である。
【００６３】
第１の実施の形態においては、高速通信確立前は内蔵カメラ画像を表示し、高速通信確立後は外部撮像画像を表示する連携表示を行う例を説明した。本実施の形態は高速通信確立前に、連携表示を行うだけでなく、内蔵カメラ部２３と撮像部１１とで連携撮影制御を行う例を説明するものである。
【００６４】
スマートフォン２０の制御部２５は、図６のステップＳ５１において、カメラ連携モードが指定されているか否かを判定する。カメラ連携モードが指定されている場合には、制御部２５はレンズ型カメラ１０との間の通信を確立するための制御を行い、ステップＳ５２において高速通信が確立しているか否かを判定する。高速通信要求からの時間が比較的短い場合のように、高速通信が確立されていない場合には、制御部２５は低速通信の待機状態となる。
【００６５】
制御部２５は低速通信が開始されるまでの間に、内蔵カメラ部２３による撮影に関する各種制御及び情報の取得を行う。例えば、制御部２５は、ステップＳ５４において内蔵カメラ部２３を起動し、ステップＳ５５において内蔵カメラ画像のスルー画を取得し、ステップＳ５６において画像判定を行い、対象部位についてオートフォーカス、自動露出及び自動ホワイトバランスの各設定値を求め、ステップＳ５７において姿勢の判定結果を得る。このとき、内蔵マイクを起動して音声取得や判定などは先に始めてもよい。制御部２５は、方位・画角判定部３０の出力に基づいて撮影姿勢を判定している。制御部２５は、この判定結果と後述するレンズ型カメラ１０の姿勢の判定結果とに基づいて、スマートフォン２０の内蔵カメラ部２３の撮影方向と撮像部１１の撮影方向とが一致しているか否か、つまり同一の被写体を撮影することができるか否かを判定することが可能である。このとき、ユーザが混乱しないように、表示されている画像が内蔵カメラの画像であることが分かるように表示制御してもよい。その旨を表記してもよいし、枠を変えたり白黒にしたり音声で伝えるなど、様々な方法がある。このように、ユーザがいらいらしないように、機器が最善を尽くしている様子を表示するようにしており、なおかつ、通信が確立する前に、対象物を観察したり画像記録を始めることも可能である。ここでは画像について説明しているが、鳥の声を別体のマイクやレコーダで録音する際、鳥が逃げる前にとにかく記録したい用途など、音声においても同様の工夫が重要である。また、鳥の画像も撮影したいが、通信確立前に、せめて声だけでも記録したいニーズもある。このように、画像や音声やその他情報に対して応用すれば、第１の情報を得る第１の情報取得部と、第２の情報取得部によって得られた第２の情報を第１の通信規格に従って受信する第１の通信部と、上記第１の通信規格とは異なる第２の通信規格に従って通信を行う第２の通信部と、上記第１の通信部の通信が確立していない場合に、上記第２の通信部の通信中に上記第１の情報をユーザに認知させる表示制御部と、を具備したことを特徴とする情報取得装置であれば、ここに説明したような効果を奏することが可能となる。
【００６６】
低速通信部２２，１４相互間での低速通信が確立すると、制御部２５は、ステップＳ５９において高速通信の確立処理を開始する。なお、制御部２５は、カメラ連携モードの開始時に、低速通信及び高速通信の両方の通信を確立させるための制御を同時に開始してもよい。制御部２５はステップＳ６０において高速通信が確立したか否かを判定する。高速通信が確立していない場合には、制御部２５は、ステップＳ６１において、内蔵カメラ画像に基づくスルー画表示を行う。なお、スマートフォン２０においては、内蔵カメラ部２３として前方を撮影するアウトカメラ部及び後方を撮像するインカメラ部を有するものがあり、オンとなったカメラ部からの内蔵カメラ画像がスルー画として用いられる。外部カメラの姿勢情報や方位情報などを取得して、これらのカメラのうち適切なもの（同じ向きに近い方）を選択してもよい。
【００６７】
一方、レンズ型カメラ１０の制御部１２は、図５のステップＳ２１において、低速通信確立の待機状態となる。例えば、低速通信部１４をＮＦＣ（Near Field Communication）やＢＬＥ（Bluetooth（登録商標） Low Energy）等によって構成することで、低速通信部１４における消費電力を十分に小さくすることができ、レンズ型カメラ１０の主要部の電源をオフにしていれば、比較的小さい容量のバッテリによって、低速通信部１４を常時オンにした待機状態が可能である。低速通信部１４，２２における低速通信が確立すると、制御部１２はスマートフォン２０の制御部２５からレンズ型カメラ１０の電源をオンにする指示が送信されたか否かを判定する（ステップＳ２２）。
【００６８】
制御部１２は、電源オンの指示が発生すると、レンズ型カメラ１０の各部に電源を投入し、撮影モードが指示されたか否かを判定する（ステップＳ２３）。撮影モードが指示されると、制御部１２は高速通信部１３に高速通信の確立処理を開始させる（ステップＳ２４）。
【００６９】
制御部１２は、ステップＳ２５〜Ｓ２９において、撮影情報及びスルー画を取得する。即ち、ステップＳ２５において、撮影情報取得部１２ｃは、レンズ仕様を判定する。また、ステップＳ２６において、制御部１２は、仰角方位センサ１５の出力に基づいて撮影姿勢を判定する。レンズ型カメラ１０はスマートフォン２０から分離されて使用されることがあり、必ずしもスマートフォン２０の内蔵カメラ部２３と同一の撮影範囲を撮影することができるとは限らない。制御部１２は、仰角方位センサ１５の出力に基づいて撮影姿勢を判定し、この判定結果と上述したスマートフォン２０の姿勢の判定結果とに基づいて、スマートフォン２０の内蔵カメラ部２３の撮影方向と撮像部１１の撮影方向とが一致しているか否か、つまり同一の被写体を撮影することができるか否かを判定することが可能である。
【００７０】
撮像部１１は撮像画像を制御部１２に出力する。制御部１２は撮像部１１の撮像画像に基づくスルー画を取得する（ステップＳ２７）。制御部１２は取得した撮像画像中の対象物についての画像特徴を求めると共に、当該対象物の撮像画像中の位置の情報を取得する（ステップＳ２８）。なお、このタイミングで画像記録を始めてしまい、後で使えるようにしても良い。動画などに対応し、音声を取得開始してもよい。また、制御部１２は画像判定を行って、対象部位についてオートフォーカス、自動露出及び自動ホワイトバランスの各設定値を求める（ステップＳ２９）。
【００７１】
本実施の形態においては、制御部１２は、ステップＳ３０において高速通信が確立しているか否かを判定し、確立していない場合には、ステップＳ４１〜Ｓ４４において、取得した撮影情報を低速通信を利用してスマートフォン２０に送信する。即ち、制御部１２は、ステップＳ４１においてレンズ仕様の情報を送信し、ステップＳ４２において姿勢の情報を送信し、ステップＳ４３において画像特徴と位置情報を送信し、ステップＳ４４において対象部位についてのオートフォーカス、自動露出及び自動ホワイトバランスの各設定値の情報を送信する。また、これらのタイミングで音声情報などは先に送り始めてもよい。
【００７２】
なお、制御部１２は、撮像部１１と内蔵カメラ部２３との撮影方向が相互に異なることを示す判定結果が得られた場合には、ステップＳ４１〜Ｓ４４の送信に代えて、撮影方向が異なることを示す判定結果や撮影方向差の情報を送信するようにしてもよい。
【００７３】
一方、スマートフォン２０の制御部５２は、図６のステップＳ６２〜Ｓ５において、レンズ型カメラ１０からのレンズ仕様の情報、撮影姿勢の情報、画像特徴及び位置の情報並びに対象部位についてのオートフォーカス、自動露出及び自動ホワイトバランスの各設定値の情報を受信する。
【００７４】
制御部５２は、ステップＳ５７において取得した自機の撮影姿勢と、ステップＳ６３によって取得したレンズ型カメラ１０の撮影姿勢とに基づいて、内蔵カメラ部２３の撮影方向とレンズ型カメラ１０の撮像部１１の撮影方向とが一致しているか否かを判定する。一致していない場合には、制御部５２は、ステップＳ６７において、両者の撮影方向の差異の情報を内蔵カメラ画像に基づくスルー画上に重ねて表示する。
【００７５】
制御部５２は、撮影方向が一致していると判定した場合には、ステップＳ７１において、内蔵カメラ画像の画像特徴を求めると共に、求めた画像特徴の情報とステップＳ６４において取得した画像特徴の情報とに基づいて、内蔵カメラ画像と外部撮像画像とに共通の対象が存在するか否かを判定する。制御部５２は、共通の対象が存在すると判定した場合には、内蔵カメラ画像に基づくスルー画に、取得した各種設定値を反映させる。例えば、制御部５２は、レンズ型カメラ１０のオートフォーカス、自動露出及び自動ホワイトバランスの各設定値を内蔵カメラ部２３に設定する。レンズ型カメラ１０おいて取得した撮影設定値を用いることで、内蔵カメラ部２３における撮像画像の品質を向上させることができる可能性がある。音声に関しても、共通の音声があるかどうかで取得するかどうかを判定してもよい。
【００７６】
なお、スマートフォン２０の制御部２５が内蔵カメラ部２３に設定した撮影条件に基づいて、レンズ型カメラ１０の撮影条件を設定するようにしてもよい。この場合にも、レンズ型カメラ１０による撮像画像の品質を向上させることができる可能性がある。
【００７７】
更に、制御部５２は、ステップＳ７３において、情報表示４５及び枠画像４６（図４参照）を表示する。これらの表示によって、ユーザはレンズ型カメラ１０による撮像画像を予測することが可能である。ユーザは、枠画像４６によって、レンズ型カメラ１０から撮像画像がスマートフォン２０に転送される前に、レンズ型カメラ１０の撮影範囲を知ることができる。
【００７８】
ここで、ユーザが撮影を指示するものとする。制御部２５は、ステップＳ７４において撮影指示があったか否かを判定しており、撮影操作が行われると、ステップＳ７５において撮影を行う。例えば、ユーザによる撮影操作が内蔵カメラ部２３に対する撮影操作である場合には、制御部２５は、内蔵カメラ部２３からの撮像画像に対して所定の静止画画像処理を施して、処理後の静止画像を記録部２４に与えて記録させる。例えば、制御部２５は、内蔵カメラ画像に対して、外部撮像画像範囲に応じてトリミングを施してもよい。ここでは画像取得を重視して説明しているが、音声を取得したりするのも同様の考え方で良い。外部カメラが高性能のマイクを持っている場合などは、あらかじめ音声だけは、この高性能マイクによって収録されたものをステップＳ７５で録音可能とすれば、鳥の画像は撮り逃しても、声だけは記録できたり、得られた声を、後で撮影した画像と一緒に再生する時に使ったりできる。
【００７９】
また、ユーザによる撮影操作がレンズ型カメラ１０に対する撮影操作であった場合には、制御部２５は、低速通信部２２を介してレンズ型カメラ１０による撮影を指示する。レンズ型カメラ１０の制御部１２は低速通信部１４を介して撮影指示の情報を受信すると、撮像部１１を制御して撮像を行う。この場合には、制御部１２は、撮像画像を記録部１８に記録してもよく、また、高速通信が確立した後に、スマートフォン２０に転送するようにしてもよい。
【００８０】
このように、レンズ型カメラ１０の撮影情報に応じて内蔵カメラ部２３の撮影条件が設定されることで、内蔵カメラ部２３による撮像画像の画質を向上させることができる。また、内蔵カメラ画像中にレンズ型カメラ１０の撮像画像の撮影範囲が表示されることから、レンズ型カメラ１０の撮像部１１によって得られる撮像画像の構図を内蔵カメラ画像によって認識することができる。従って、本実施の形態においては、レンズ型カメラ１０からの撮像画像がスマートフォン２０に転送される前において、ユーザはある程度満足できる撮像画像を内蔵カメラ部２３又はレンズ型カメラ１０の撮影によって得ることができる。
【００８１】
更に、制御部２５はステップＳ７６において撮影に対する調整の指示があったか否かを判定する。ユーザは撮影結果を見ながら、撮影条件等の調整を行う。制御部２５は、この調整結果をカメラ制御に反映させる（ステップＳ７７）。例えば、スマートフォン２０によって拡大等の操作を行った場合には、この操作に応じてレンズ型カメラ１０の撮像部１１にズームを設定することができる。
【００８２】
レンズ型カメラ１０の制御部１２は、ステップＳ３０において、高速通信が確立したことを判定すると、ステップＳ３１において高速通信部１３，２１を介してスルー画をスマートフォン２０に送信する。なお、ここで、ステップＳ２７で取得していた画像を送信して、通信が遅れた分を遡って見られるようにしてもよい。スマートフォン２０の制御部２５は、ステップＳ８１においてレンズ型カメラ１０からのスルー画を受信すると、このスルー画を表示制御部２８に与える。表示制御部２８は、内蔵カメラ画像に代えてレンズ型カメラ１０からの撮像画像（外部撮像画像）を表示部２９に与えて表示させる。なお、遡った分から画像を再生するようにして、そこから選んで撮影できるようにしてもよい。遡った画像は高速再生してあたかも連続でスルー画が見えているようにしても良いし、マルチ画面にしてサブ画面に繰り返し表示しても良い。内蔵カメラ部２３は省エネのためオフしてもよく、オンしたまま内蔵カメラ画像を別画像として記録できるようにしてもよい。
【００８３】
スマートフォン２０の制御部２５は、ステップＳ８２において撮影指示が発生したか否かを判定する。ユーザによる撮影操作が行われると、制御部２５は、ステップＳ８３において、レンズ型カメラ１０に低速通信部２２，１４を介して撮影の要求を発する。レンズ型カメラ１０の制御部１２は、ステップＳ３２において撮影指示があったか否かを判定しており、スマートフォン２０の制御部２５からの撮影要求が発生すると、撮像部１１に撮影を指示する。制御部１２は、撮像部１１からの撮像画像を高速通信部１３，２１を介してスマートフォン２０に転送する（ステップＳ３３）。
【００８４】
制御部２５は、ステップＳ８３において、レンズ型カメラ１０に対する撮影要求に対してレンズ型カメラ１０の撮像画像の転送を要求するモードであるか否かを判定する。撮像画像を要求するモードの場合には、制御部２５は、ステップＳ８５においてレンズ型カメラ１０から高速通信部１１，２１を介して転送された撮像画像を受信し、所定の画像処理を施した後記録部２４に与えて記録させる。
【００８５】
また、レンズ型カメラ１０においても撮影操作を行うことができるようになっており、制御部１２は、ステップＳ３４において撮影操作が行われたか否かを判定する。レンズ型カメラ１０の操作部１６によって撮影操作が行われると、制御部１２は撮像部１１を制御して撮影を行う。制御部１２は、この撮影によって得られた撮像画像を記録部１８に与えて記録させる（ステップＳ３６）。また、レンズ型カメラ１０において撮像画像をスマートフォン２０に転送するモードが設定されている場合には、制御部１２は、ステップＳ３７からステップＳ３８に処理を移行して、撮像画像を高速通信部１３，２１を介してスマートフォン２０に転送する（ステップＳ３８）。
【００８６】
なお、レンズ型カメラ１０において、高速通信の確立前に撮影を行うことも可能である。制御部１２は、ステップＳ４５において撮影操作が行われたか否かを判定する。レンズ型カメラ１０の操作部１６によって撮影操作が行われると、制御部１２は撮像部１１を制御して撮影を行う（ステップＳ４６）。制御部１２は、この撮影によって得られた撮像画像を記録部１８に与えて記録させる（ステップＳ４７）。
【００８７】
このように本実施の形態においても第１の実施の形態と同様の効果が得られる。更に、本実施の形態においては、レンズ型カメラからスマートフォンに対して撮像画像を転送する高速通信が確立する前において、低速通信を利用してレンズ型カメラの撮影情報等をスマートフォンに転送するようになっており、スマートフォンはレンズ型カメラの撮影情報を利用して内蔵カメラの撮影を制御することが可能であり、内蔵カメラによって高品質の撮像画像を得ることができる。
【００８８】
なお、上記各実施の形態においては、２つの撮像部のうちの一方の撮影情報を用いて他方の撮影条件を設定する例を説明したが、２つの撮像部のうちの一方の撮影情報を用いて他方の撮像部からの撮像画像に対する画像処理を制御するようにしてもよい。
また、この実施例では、撮影の高速化の説明を重点的に行ったが、消費電力対策として、必要な時以外は、Ｗｉ−Ｆｉ通信を切って、ブルートゥース（登録商標）で代用するようにする応用も有効である。例えば、モード設定時には、スマートフォンの画面を見ながら画質調整するようにすれば、Ｗｉ−Ｆｉの消費電力を抑えて、機器を長時間使うことが可能となる。
画質や画像のイメージを把握するだけなら、レンズ型カメラの画像にこだわる必要はない。
なお、常時接続では、電力が短時間しか保たない機器の場合、Ｗｉ−Ｆｉを間欠的に行って、あらかじめ通信開始設定を早めに行うような工夫を併用すれば、ブルートゥース（登録商標）ではなくてもよい。消費電力を気にすることなく、ペアリングが不要で瞬時に接続が可能な、近接無線通信（ＮＦＣやトランスファージェット等）を第２の通信に代用してもよい。この場合も、画像以外の通信を優先して行ってもよい。画像以外のデータ通信を説明したが、小容量の画像を含むことも可能である。
【００８９】
上記各実施の形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
画像のような大きな容量のデータと、それに付随した比較的小容量のデータを送るシステムであれば、コンシューマ分野のみならず、産業用、医療用の分野でも使える。例えば、撮像部と表示部または操作部が別体になっている構成の画像機器であれば応用が可能である。例えば、身体や機械などの内側の検査をする時に、撮像部を内部に入れて、まず、身体や機械などの表面を操作部側で撮影して無駄な時間を軽減する。また、第１の通信規格の通信での内部の撮像部からの観察画像転送に先立って第２の通信規格の通信で位置の情報だけを先に出して、位置合わせを行うような用途にも使える。そうすれば他の観察を先に行い、第１の通信規格の通信の待ち時間なく次の観察や診断に早く入れる。
【００９０】
また、ここでは比較的高速のレスポンスを要する撮影シーンにおける例に説明してきたが、上記各実施の形態は、通信が出来ない時、他の手段を講じて代用手段でユーザの不満を緩和するものであれば、この撮影という限定された範囲を超える技術思想を含んでいる。画像のみならず、ＩＣレコーダなどで録音される音声に適用することも考えられる。音声でもマルチチャンネルでハイレゾ音声では、画像と同様、通信に時間がかかることがある。その他、測定可能な情報を機器連携で得るものであれば通信開始時だけでなく、通信遮断時トラブルの回避を行う場合にも利用できる発明であることは言うまでもない。
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００９１】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００９２】
なお、ここで説明した技術のうち、主にフローチャートで説明した制御に関しては、プログラムで設定可能であることが多く、記録媒体や記録部に収められる場合もある。この記録媒体、記録部への記録の仕方は、製品出荷時に記録してもよく、配布された記録媒体を利用してもよく、インターネットを介してダウンロードしたものでもよい。
【符号の説明】
【００９３】
１０…レンズ型カメラ、１１…撮像部、１２…制御部、１３，２１…高速通信部、１４，２２…低速通信部、１５…仰角方位センサ、１６，２７…操作部、１８…記録部、２０…スマートフォン、２３…内蔵カメラ部、２４…記録部、２５…制御部、２８…表示制御部、２９…表示部、３０…方位・画角判定部。
【図１】
0006481225.tif 000002
【図２】
0006481225.tif 000003
【図３】
0006481225.tif 000004
【図４】
0006481225.tif 000005
【図５】
0006481225.tif 000006
【図６】
0006481225.tif 000007